(57)【特許請求の範囲】
【請求項１】
シートを大径に巻取るシート巻取装置において、一対の鈍角の二股アームと、二股アームの先端部に取付けられたタッチローラと、二股アームの二股部に取付けられた補助ローラとを備え、一対の二股アームは両側方の機枠にシートの走行方向に回動可能に基端部を軸支されるとともに、最終ガイドローラを通過したシートを補助ローラを経由してタッチローラに接触した後巻取ロールに巻取るように走行させるさい、巻取ロールによる巻始めから巻終わりに至る過程で、補助ローラが描く軌跡が前記支軸と最終ローラとの間を通過するように二股アームに配置され、かつタッチローラは巻始め時において前記支軸の略垂直上に位置することを特徴とするシート巻取装置。
【発明の詳細な説明】
【０００１】
【発明の属する技術分野】
本発明は、シートを大径に巻取るシート巻取装置に関する。
【０００２】
【従来の技術】
従来から、広幅シートを複数の細幅シートにスリットし、巻取軸に巻取るスリッタが使用されている。スリッタは、図３に示すように、原反の広幅シート１０１を繰り出す繰出ローラ１０２と、繰り出された広幅シート１０１を所定の細幅シート１０３にスリットするカッタ１０４と、カッタ１０４でスリットされた細幅シート１０３を巻取る少なくとも２本の巻取軸１０５と、巻取軸１０５に巻取られる巻取ロール１０６を所定の接触圧で押圧するタッチローラ１０７と、これらの走行するシートが通る複数のガイドローラなどを備えているものであって、細幅シート１０３は位置が固定された最終ガイドローラ１０８を通過した後は巻取軸１０５に至るまでの距離を空中を走行して巻取られるのが普通である。
【０００３】
ところで、近年、種々の用途に対応する厚みが薄く細幅のシートを、生産性を向上させる目的で大径巻きの製品として巻取ることが要求されるようになってきている。例えば、巻径が６００ｍｍ〜１０００ｍｍのような製品では、カッタ１０４でスリットされた細幅シート１０３が最終ガイドローラ１０８から巻取軸１０５に至るまでに巻始めに空中を走行する距離Ｃは、図３の下段の巻取軸１０５に示すように巻始めの時点では少なくとも最終巻径の半分である３００ｍｍ〜５００ｍｍと長くなり、巻終わりには、図３の上段の巻取ロール１０６に示すように、最終ガイドローラ１０８から巻取ロール１０６に至るまでの空中を走行する距離Ｄは小さくなるのが普通であり、細幅シート１０３が空中を走行する距離がＣからＤに変動する間に波打ちが発生するなどして一定の巻き姿が保持できず、品質が低下してしまうという問題があった。
【０００４】
このような問題を解決するために、巻取軸を移動可能に設けたスリッタであって、巻始めの時点では巻取軸を最終ガイドローラに近接させて最終ガイドローラから巻取ロールまでの空中を走行する距離を短くし、巻き太りとともに巻取軸が最終ガイドローラから離反して最終ガイドローラから巻取ロールまでの距離をほほ一定に保ちながら巻取りを行なう方法を用いることにより良好な巻き姿の製品を得ることができる装置が使用されている。しかしながら、巻取軸を移動させる方法は、装置が大がかりで複雑となりコストアップになって好ましくなかった。
【０００５】
【発明が解決しようとする課題】
本発明は、上記事情に鑑み、シートを大径に巻取る場合においてもシートの蛇行や端面のずれなどがなく巻き姿の良好な巻取りが可能な、簡単な構造で廉価なシート巻取装置を提供することを目的とする。
【０００６】
【課題を解決するための手段】
本発明は、上記課題を技術的に解決する手段として、シートを大径に巻取るシート巻取装置において、一対の鈍角の二股アームと、二股アームの先端部に取付けられたタッチローラと、二股アームの二股部に取付けられた補助ローラとを備え、一対の二股アームは両側方の機枠にシートの走行方向に回動可能に基端部を軸支されるとともに、最終ガイドローラを通過したシートを補助ローラを経由してタッチローラに接触した後巻取ロールに巻取るように走行させるさい、巻取ロールによる巻始めから巻終わりに至る過程で、補助ローラが描く軌跡が前記支軸と最終ローラとの間を通過するように二股アームに配置され、タッチローラは巻始め時において前記支軸の略垂直上に位置することを特徴とするシート巻取装置を提供して、上記課題を解消する。
【０００７】
【発明の実施の形態】
以下、本発明を図面に示す実施例に基づいて詳しく説明する。図１は、本発明の実施例に係るスリッタの概略を示す説明図で、図２は本発明の実施例に係るシート巻取装置の概略を示す説明図である。
【０００８】
図１に示すスリッタは、原反の広幅シート１１を繰り出す繰出ローラ１２と、広幅シート１１を複数の細幅シート１３にスリットするカッタ１４と、細幅シート１３を巻取る少なくとも２本の巻取軸１５と、各巻取軸１５に巻取る複数の巻取ロール１６の表面を所定の接触圧で押圧する１本のタッチローラ１７とを備えている。ここで、繰出ローラ１２から繰り出された広幅シート１１はガイドローラおよび張力調整ローラを通過してカッタ１４に導かれ、カッタ１４により複数の細幅シート１３にスリットされ、スリットされた細幅シート１３は隣接する細幅シート１３同士が巻取り時に相互に干渉するのを避けるため、一条置きにガイドローラで上下２段に振り分けられ、振り分けられたそれぞれの細幅シート１３は最終ガイドローラ１８を通過した後、補助ローラ１９を経由してタッチローラ１７に接触した後、上下２段に設けられた巻取軸１５に巻取られ製品の巻取ロール１６が形成される。図１において、下段は巻取軸１５に細幅シート１３を巻始めた状態を示しており、上段は細幅シート１３を巻取ロール１６に巻終えた状態を示している。
【０００９】
本発明のシート巻取装置１０において、二股アーム２０は、２方向に延長する板体が鈍角を形成してなり、基端部２１が支点２２となるように図示しないスリッタ両側方の機枠に取り付けられ、細幅シート１３の走行方向に回動可能としている。一対の二股アーム２０の先端部２３には１本のタッチローラ１７が取り付けられ、二股部２５には１本の補助ローラ１９が取り付けられている。
【００１０】
二股アーム２０の基端部２１は、巻取軸１５の下方に支点２２を中心に回動可能に軸支されている。基端部２１の取付け位置は、図２において点線で巻取ロール１６の巻始めを示し、実線で巻取ロール１６の巻終わりの状態を示したように、補助ローラ１９が巻始めから巻終わりまでに移動する軌跡が最終ガイドローラ１８と支点２２の中間位置を通過し、かつ、最終ガイドローラ１８から補助ローラ１９までの距離Ｂが巻始めと巻終わりでほぼ等しくなるように配設されるのが好ましい。すなわち、補助ローラ１９からタッチローラ１７までの距離Ａは常に一定であるから、最終ガイドローラ１８から補助ローラ１９までの距離Ｂが巻始めと巻終わりとで略一定となるように支点２２が設定されると、細幅シート１３が最終ガイドローラ１８から巻取ロール１６まで走行する距離Ａ＋Ｂは常に略一定で、走行距離の変化による蛇行や端面のずれなどがなく、巻き姿の良好な製品を得ることができる。
【００１１】
二股アーム２０の二股部２５の突出方向は最終ガイドローラ１８方向に配置されることが肝要である。また、鈍角の鈍角状を示す角度は、上記のように最終ガイドローラ１８から補助ローラ１９までの距離Ｂが巻始めと巻終わりでほぼ等しくなるように支点２２の位置と勘案して設定されるのが好ましい。また、巻取りが終了後巻取ロール１６を搬出するために二股アーム２０を傾動させたときに、巻取ロール１６に二股アーム２０が干渉することのないような角度であることが肝要である。
【００１２】
また、支点２２の位置は、巻始め時において、支点２２の略垂直上方にタッチローラ１７が位置するように配設されることが肝要である。二股アーム２０はエアシリンダ２７に連結され、エアシリンダ２７の作動により傾動するようにしてあるが、二股アーム２０が傾動するにつれてタッチローラ接圧設定器からの信号を電空変換器で制御することにより空気圧を調節して接圧力に対する重量の影響を極小にすることが好ましい。すなわち、巻始めにおいてタッチローラ１７が支点２２の略垂直上方に位置することにより、巻始めには接圧力に対する重量の影響が０から出発するのが最も好ましいからである。タッチローラ１７が支点２２の垂直上方に位置する代わりに、支点２２の垂直下方に位置する設計変更も本発明に包含される。
【００１３】
さらに、二股アーム２０は、ダンパー２８に連結されるのが好ましい。ダンパー２８の構成はとくに限定されるものではなく、公知のオイルダンパー２８などが用いられる。巻取りが硬巻きや軟巻きによるときの偏芯や、つなぎテープなどの異物の巻き込みによる偏芯などを吸収して、安定した巻取りを継続することができる。
【００１４】
つぎに、以上のように構成された本実施例の動作について説明する。
まず、原反の広幅シート１１が繰出ローラ１２から繰り出されガイドローラおよび張力調整ローラを経てカッタ１４により所定の細幅シート１３にスリットされる。スリットされた複数の細幅シート１３は、ガイドローラにより上下２段に振り分けられる。
【００１５】
振り分けられた細幅シート１３は、図１に示された下段の巻取軸１５に巻取られる例に見られるように、最終ガイドローラ１８を通過した後補助ローラ１９を経てタッチローラ１７に接し、ついで巻取軸１５に巻取られて巻取ロール１６が形成される。このとき、最終ガイドローラ１８から巻取ロール１６までの走行距離は、最終ガイドローラ１８から補助ローラ１９までの距離Ｂと補助ローラ１９からタッチローラ１７までの距離Ａの和Ａ＋Ｂである。
【００１６】
巻取軸１５に細幅シート１３を巻始めのときには、タッチローラ１７の位置は二股アーム２０の基端部２１の支点２２のほぼ垂直上方にあって、タッチローラ１７が巻取ロール１６を押圧する力は重力の影響が略０に等しく設定される。
【００１７】
ついで、巻取ロール１６が巻太り、タッチローラ１７が段々と図において右下方に降下しながら巻取ロール１６を押圧してゆく。そして、図１に示された上段の巻取ロール１６に巻取りが終了した状態に見られるように、二股アーム２０には重力が掛かって接触圧が減じる方向にあるが、電空変換器により空気圧を増加させて、接触圧が巻始めから巻終わりまで均一となるように制御されるのが好ましい。
【００１８】
巻終わりの時点において、細幅シート１３が最終ガイドローラ１８からタッチローラ１７まで走行する距離は、最終ガイドローラ１８から補助ローラ１９までの距離Ｂと補助ローラ１９からタッチローラ１７までの距離Ａの和Ａ＋Ｂである。ここで、細幅シート１３が最終ガイドローラ１８から巻取ロール１６まで走行する距離はＡ＋Ｂと常に略一定で、走行距離の変化によるシートの蛇行や端面のずれなどがなく、巻き姿の良好な製品を得ることができる。
【００１９】
また、二股アーム２０にはダンパー２８が連結してあり、巻取中に巻きの硬軟による巻取ロール１６の偏芯や巻取ロール１６への異物の巻き込みなどによるタッチローラ１７の大幅な振動を抑止して安定した押圧を行い、良好な巻取ロール１６を得ることができる。
【００２０】
本発明のシート巻取装置は、実施例に示したスリッタにおける巻取りに使用されるばかりでなく、広幅なシートの巻取りや巻換えなどの巻取りにも好適に使用される。
【００２１】
【発明の効果】
以上説明したように、本発明のシート巻取装置によれば、巻取軸にシートが巻き取られるにつれて巻取ロールの径が大きくなり、タッチローラは最初の位置から徐々に下方に移動するが、上述した構成になるようにタッチローラおよび補助ローラを配設することにより、シートが最終ガイドローラから巻取ロールに巻取られるまでに、走行する距離がほぼ等しくなり、走行距離の変動によりシートが蛇行したり端面にずれが生じるなどのトラブルを防止し良好な巻き姿の製品を得ることができる。また、二股アームに連結した連結エアシリンダ制御において巻始めの出発点においてタッチローラの接圧力に対する重量の影響を極小にすることができる。
【図面の簡単な説明】
【図１】本発明の実施例に係るスリッタの概略を示す説明図である。
【図２】本発明の実施例に係るシート巻取装置の概略を示す説明図である。
【図３】従来の実施例に係るスリッタの概略を示す説明図である。
【符号の説明】
１０  シート巻取装置
１１  広幅シート
１２  繰出ローラ
１３  細幅シート
１４  カッタ
１５  巻取軸
１６  巻取ロール
１７  タッチローラ
１８  最終ガイドローラ
１９  補助ローラ
２０  二股アーム
２１  基端部
２２  支点
２３  先端部
２５  二股部
２７  エアシリンダ
２８  ダンパー
【図１】
0004078497.tif 000002
【図２】
0004078497.tif 000003
【図３】
0004078497.tif 000004